(57)【要約】【課題】携帯電話機のバッテリ電源の喪失を防止しようとする。【解決手段】ロータの回転動作時に、ロータ及びステータ間の鎖交磁束の変化に応じて生ずる発電出力を携帯電子機器の本体回路に対する充電電源として用いるようにしたことにより、常時ユーザの動作に基づいてバッテリの充電をすることができることにより、電源の喪失を有効に防止できる。【選択図】図１
2007110783.tif 000002
【特許請求の範囲】
【請求項１】
携帯電子機器の筐体内に、回転駆動用重りの慣性力によって回転動作するロータと、上記ロータと対向する位置に固定されたステータとを有する発電手段を設け、
上記発電手段は、上記ロータの回転動作時に、上記ロータ及びステータ間の鎖交磁束の変化に応じて生ずる発電出力に基づいて上記携帯電子機器の本体回路の電源電池に対する充電入力を供給する
ことを特徴とする自動充電型携帯電子機器。
【請求項２】
上記ロータと、当該ロータの回転軸との間に、上記回転駆動用重りの重力とつり合う弾発力をもつ弦巻ばねを設けた
ことを特徴とする請求項１に記載の自動充電型携帯電子機器。
【請求項３】
さらに、上記筐体の外表面に太陽電池を設け、上記太陽電池の出力に基づいて上記電源電池に対する充電入力を供給する
ことを特徴とする請求項１に記載の自動充電型電子機器。
【請求項４】
上記携帯電子機器の本体回路は、受信信号が受信できなくなったことを検出する受信検出回路と、上記携帯電子機器の本来の機能を実行する機能処理回路と、上記電源電池からの電源出力の供給モードを切り換える電源モード切換回路とを有し、上記受信検出回路は受信信号の受信ができなくなった状態が所定の時間継続したとき上記電源モード切換回路から上記機能処理回路への上記電源電池からの電力出力の供給をしゃ断する
ことを特徴とする請求項１に記載の自動充電型電子機器。
【発明の詳細な説明】
【技術分野】
【０００１】
本発明は自動充電型携帯電子機器に関し、特に不用意に電源喪失状態に陥らないようにしようとするものである。
【背景技術】
【０００２】
携帯電子機器として携帯電話機、携帯ゲーム機など種々のものがあるが、例えば携帯電話機の電源について、従来、商用電源に接続されたＡＣアダプタによって内蔵電池を充電する方法が一般に広く採用されており、特に屋外での充電方法としては、乾電池や、手動の発電機や、充電用ステーションや、太陽電池や、燃料電池を別途用して内蔵電池充電する手法が考えられている（特許文献１及び２参照）。
【特許文献１】特開２００４−１４０９８７公報
【特許文献２】特開２００３−２７５４５５公報
【発明の開示】
【発明が解決しようとする課題】
【０００３】
ところが、これら従来の携帯電話機の充電手法は、いずれも、常時連続的に充電できるような構成にはなっていないために、例えばユーザが携帯電話機を持ち歩いていたり、長時間ロッカーに入れ忘れていたりした場合に、電源を不用意に喪失させる（いわゆる「バッテリがあがった状態になる」）おそれがある。
【０００４】
本発明は以上の点を考慮してなされたもので、特に携帯電子機器をユーザが持ち歩いている間に常時充電が行われるようにした自動充電型携帯電子機器を提案しようとするものである。
【課題を解決するための手段】
【０００５】
かかる課題を解決するため本発明においては、携帯電子機器１の筐体２、４内に、回転駆動用錘３５の慣性力によって回転動作するロータ２８と、ロータ２８と対向する位置に固定されたステータ２５とを有する発電手段１５を設け、発電手段１５は、ロータ２８の回転動作時に、ロータ２８及びステータ２５間の鎖交磁束の変化に応じて生ずる発電出力Ｉ１に基づいて携帯電子機器の本体回路２２に対する充電出力を供給する。
【発明の効果】
【０００６】
本発明によれば、ステータに対するロータの回転動作時にロータ及びステータ間の鎖交磁束の変化によって生ずる発電出力を携帯電子機器の本体回路の電源電池に対する充電入力として用いるようにしたことにより、携帯電子機器を持ち歩くユーザの動作に応じて常時携帯電子機器の本体回路に対する発電出力を得ることができ、これにより携帯電子機器のバッテリの消耗に基づく電源の喪失を有効に防止することができる。
【発明を実施するための最良の形態】
【０００７】
以下図面について、本発明の一実施の形態を詳述する。
【０００８】
（１）第１の実施の形態
図１（Ａ）及び（Ｂ）は携帯電子機器として本発明を携帯電話機に適用した実施の形態を示すもので、１は全体として携帯電話機を示し、本体筐体２の先端にヒンジ部３を介して表示部筐体４が開閉自在に装着され、本体部筐体２及び表示部筐体４によって携帯電話機筐体５が形成されている。
【０００９】
本体部筐体２の表面には、その矢印ａで示す手元側端部にテンキー１０と複数の操作ボタン１１とが配設されていると共に、テンキー１０の矢印ｂで示す先端側端部に複数の操作ボタン１２が配設されている。
【００１０】
本体部筐体２の手元側端部の筐体内部において、テンキー１０の裏側位置には、偏平形状の発電手段１５が設けられ、当該発電手段１５の発電出力Ｉ１が、図２に示すように、電源回路２１を介して携帯電話機本体回路２２に供給される。
【００１１】
発電手段１５は、図３（Ａ）に示すように、フェライト等の軟磁性体材料でなる円板状のステータに植立された回転軸２６上に、軸受２７によって永久磁石で構成された円板状のロータ２８をステータ２５と対向しながら回転できるように装着し、これによりステータ２５に設けられた巻線２８に発電出力を発生させる構成を有する。
【００１２】
ステータ２５の下表面及びロータ２８の上表面には、パーマロイ等の軟磁性体でなるシールド板３０及び３１が設けられ、これにより磁気が外部に漏れないようにシールドすると共に、磁気的短絡部を形成している。
【００１３】
この実施の形態の場合、ロータ２８及びそのシールド板３１は固定金具３２によって軸受２７と一体に回転できるように固定されている。
【００１４】
ロータ２８側のシールド板３１上の偏心した位置には、図３（Ｂ）に示すように、回転駆動用重り３５が固着されている。
【００１５】
この実施の形態の場合、回転駆動用重り３５は密度１８．５〔ｇ／ｃｍ３〕程度のＷ系結晶重合金でなるヘビーアレイを三日月状板体に成形したものを、円板状ロータ２８のシールド板３１の一端縁に接着剤によって接着されている。
【００１６】
かくしてロータ２８は、携帯電話機１の本体部筐体２が揺動したとき、回転駆動用重り３５がその重力により下方に移動することにより、ロータ２８を回転軸２６を中心として回動動作させる。
【００１７】
この実施の形態の場合、回動駆動用重り３５の表面には、バランス用弦巻ばね３６の一端３６Ａが固着されていると共に、バランス用弦巻ばね３６の他端３６Ｂが回転軸２６に固着され、かくしてロータ３８が弦巻ばね３６のばね力と、回転駆動用重り３６の重力とが釣り合った回動位置を基準位置として回動できるようになされている。
【００１８】
因に、携帯電話機１が図１（Ａ）及び（Ｂ）に示すように、本体部筐体２の発電手段１２が設けられている手元側ａの方向の下端側が下方に向くような姿勢状態にあるとき、発電手段１５の回転駆動用重り３５がバランス用弦巻ばね３６のばね力をバランスして、回転軸２６に対して横方向（水平方向）の位置を基準位置として保持される。
【００１９】
この結果、発電手段１５のロータ２８は本体部筐体２が僅かでも上下方向に動くと、当該動きに対して回転駆動用重り３５に上下方向の慣性力が生ずることにより、ロータ２８が当該慣性力によって回転軸２６を中心として回動する。
【００２０】
この結果、ロータ２８は、携帯電話機１を携帯したユーザが少しでも動けば、回転駆動用重り３５の重力とバランス用弦巻ばね３６の弾発力とのつり合いがくずれて慣性力が生ずることにより、感度良く応動して回動動作ができることになる。
【００２１】
ロータ２８は、図４に示すように、例えばネオジウム・鉄・ボロン系永久磁石でなる永久磁石円板４０の下面に、円周方向に扇形のＮ磁極４１Ｎ及びＳ磁極４１Ｓが順次交互に１６個分配設されており、これにより８極分の磁極対が形成されている。
【００２２】
これに対してステータ２５は、図５に示すように、磁性材料でなる磁性円板４５上に１６個の扇形磁極突起４６が回転軸２６の円周方向に沿って順次配列されている。
【００２３】
各磁極突起４６には、図６に示すように、例えば３０ミクロン程度の太さの線材を所定回数例えば８４回分巻き付けてなる巻線７４が巻装されている。
【００２４】
磁極突起４６はロータ２８のＳ磁極４１Ｓ及びＮ磁極４１Ｎの横断面形状とほぼ同じ横断面形状を有すると共に、互いに隣り合うＳ磁極４１Ｓ及びＮ磁極４１Ｎと対向する隣り合う磁極突起４６の巻線４７の巻き付け方向が互いに逆方向になるように巻装されており、これによりＳ磁極４１Ｓ及びＮ磁極４１Ｎにそれぞれ対向する磁極突起４６の巻線４７から同一方向に流れる発電電流を送出できるようになされている。
【００２５】
このようにして１６個の磁極突起４６に巻層された巻線４７は、直列に接続され、これにより当該直列接続された巻線４７の両端間に各巻線４７の発電電流をすべて加算した値の総電流が得られ、この総電流が発電出力としてステータ２５から送出される。
【００２６】
図４の構成のロータ２８が回転軸２６を中心として回動したとき図５の構成のステータ２５の各巻線には、次の（１）式
【００２７】
【数１】
2007110783.tif 000003
【００２８】
で与えられる起電力が発生し、これにより実用上十分な起電力が直列接続された巻線４７の両端に得られる。
【００２９】
因に、磁束密度を１．４８〔Ｔ〕、コイルの巻数を８４、コイルの断面積を４８０〔ｍｍ２〕（内径を８〔ｍｍ〕、外形を２８〔ｍｍ〕、有効面積を８５〔％〕とした場合）、ロータ２８の回転数を１００ｒｐｍとすると、総起電力Ｅは
【００３０】
【数２】
2007110783.tif 000004
【００３１】
程度になる。
【００３２】
このように総起電力としてＥ＝３．１８〔Ｖ〕の圧電出力が得られるが、携帯電話機本体回路２２を動作させるには十分な電源であると言い得る。
【００３３】
図４のロータ２８は、図５のステータ２５に対して、図７（Ｂ）に示すように、回転角θが揺れ幅−π／２から＋π／２の範囲で往復揺動運動したとき、図７（Ａ）の曲線Ｋ１に沿って回転角θが変化するに従って、ロータ２８の基準点部位２８Ｘ（ロータ２８上の任意の一点を表す）がステータ２５の巻線４７の前面を通るように回転運動することにより、曲線Ｋ２で示す起電力が巻線４７のロータに生ずる。
【００３４】
かかるこの曲線Ｋで示す起電力に基づいて送出される発電電流Ｉ１が発電手段１５（図２）の出力として電源回路２１の整流回路５０に供給される。
【００３５】
整流回路５０は、図８に示すように、４つのダイオードを有する全波整流回路でなり、各ダイオードは逆回復時間が短くかつもれ電流が小さいものを用いており、これにより省電力効果を得るようになされている。
【００３６】
整流回路５０の整流出力は発電出力充電用コンデンサ５１に与えられ、その充電出力がバッテリマネージャ回路５２の発電入力用充電制御回路５３に与えられる。
【００３７】
発電入力用充電制御回路５３は、発電出力充電用コンデンサ５１からの入力電圧Ｖ１を比較回路５５において基準電圧源５６の基準電圧Ｖ２と比較し、入力電圧Ｖ１が基準電圧Ｖ２を超えたとき検出信号Ｓ１を充電制御回路５７に与える。
【００３８】
充電制御回路５７は検出信号Ｓ１が与えられたとき駆動信号Ｓ２をＤＣＤＣ変換回路５８に駆動信号Ｓ２を与えることにより、発電出力充電用コンデンサ５１からの入力電圧Ｖ１を電圧変換動作させると共に、定電流駆動動作させ、その結果ＤＣＤＣ変換回路５８の出力端に得られる直流出力ＤＣ１を逆流阻止用ダイオード５９を介して内蔵バッテリを構成する電源電池６０に供給する。
【００３９】
かくして電源電池６０は、発電手段１５の出力に基づいて充電動作する状態になる。
【００４０】
このとき充電制御回路５７は発電出力受電用コンデンサ５１の充電電圧、従って入力電圧Ｖ１が低下したり、電源電池６０の電圧が規定値以上になったとき、当該充電動作を停止するようにＤＣＤＣ変換回路５８を制御する。
【００４１】
このようにして電源電池６０は、発電手段１５が発電動作するごとにその発電入力を電源として充電保持し、当該電源電池６０からの電源出力がレギュレータ回路６１を介して電源回路２１からの電源出力ＤＣ２として携帯電話機本体回路２２に供給される。
【００４２】
この実施の形態の場合、電源回路２１は、コネクタ６４を介して商用電源に接続されたＡＣアダプタ６５からの充電電流Ｉ２に基づいて電源電池６０を充電する充電回路が設けられている。
【００４３】
ＡＣアダプタ６５からの充電電流Ｉ２は、ＡＣアダプタ受電用コンデンサ６６に与えられてこれを充電し、その充電出力がＡＣアダプタ入力用充電制御回路６７に供給される。
【００４４】
ＡＣアダプタ入力用充電制御回路６７は、発電入力用充電制御回路５３と同様の構成を有し、対応部分に符号Ｘを付して示すように、比較回路５５Ｘにおいて入力電圧Ｖ１Ｘと基準電圧源５６Ｘの基準電圧Ｖ２Ｘとの比較結果に基づいて得られる制御信号Ｓ１Ｘによって、充電制御回路５７ＸがＤＣＤＣ変換回路５８Ｘを制御することにより、ＤＣＤＣ変換回路５８Ｘから逆流阻止用ダイオード５９Ｘを介して直流出力ＤＣ１Ｘが電源電池６０に供給される。
【００４５】
かくして電源電池６０は、商用電源から電源を供給されるＡＣアダプタ６５の充電電流Ｉ２に基づいて充電動作をする。
【００４６】
以上の構成において、携帯電話機１をかけた状態で手で持ったりポケット等に収納したりしておくと、発電手段１５のロータ２８の回転駆動用重り３５は、その重力と弦巻ばね３６の弾発力とが釣り合ってほぼ水平な回動位置を保持した状態になる。
【００４７】
この状態において、携帯電話機１が上下方向に動かされると、回転駆動用重り３５に生ずる慣性力によってロータ２８が回転軸２６を中心として揺動動作する。
【００４８】
このときロータ２８の各Ｓ磁極４１Ｓ及びＮ磁極４１Ｎの磁束とステータ２５の各巻線４７との鎖交数がステータ２５の回転角に応じて変化することにより、巻線４７に起電力が生じ、この起電力に基づいて電源回路２１の制御回路５０に発電電流Ｉ１が供給される。
【００４９】
その結果発電出力受電用コンデンサ２１の充電電圧が基準電圧源５６の基準電圧Ｖ２より高くなると、充電制御回路５７はＤＣＤＣ変換回路５８を制御することにより直流出力ＤＣ１を発生させることにより電源電池６０が充電される。
【００５０】
この充電動作は、携帯電話機１が動かされるごとに行われるから、携帯電話機１のユーザがたとえ長い時間屋外において行動したとしても、常に電源電池６０が充電されることになる。
【００５１】
これに加えて、ユーザが室内にいてＡＣアダプタ６５を使用できる状態のときは、ＡＣアダプタ６５を接続端子に接続すれば、ＡＣアダプタ入力用充電制御回路６７を介して電源電池６０に対して充電することができる。
【００５２】
以上の構成によれば、携帯電話機１のユーザは電源電池６０の電源を喪失させることなく携帯電話機１を確実に使用し続けることができる。
【００５３】
かくするにつき、ロータ２８に回転駆動用重り３５を設けてその重力と弦巻ばね３６の弾発力とが釣り合った状態で水平の回転角位置を保持するように構成したことにより、携帯電話機１の筐体が僅かに動いたときでも回転駆動用重り３５を感度良く揺動駆動できることにより、より高い感度で発電動作させることができる。
【００５４】
（２）第２の実施の形態
図９は第２の実施の形態を示すもので、図１との対応部分に同一符号を付して示すように、表示部筐体４の外側表面に、表示窓６９と並んで、太陽電池７０が電源電池６０に対する充電手段として設けられている。
【００５５】
太陽電池７０は、図２との対応部分に同一符号を付して図１０に示すように、発電出力を太陽電池充電用コンデンサ７１に供給する。
【００５６】
太陽電池充電用コンデンサ７１の充電電圧は、図１１において、発電入力充電制御回路５３との対応部分に符号Ｙを符して示す太陽電池入力用充電制御回路７２に供給される。
【００５７】
かくして太陽電池入力用充電制御回路７２は太陽電池受電用コンデンサ７１から与えられる入力電圧Ｖ１Ｙが基準電源５６Ｙの基準電圧Ｖ２Ｙより高い電圧になったとき、制御信号Ｓ１Ｙを充電制御回路５７Ｙに与えることにより、ＤＣＤＣ変換回路５８Ｙを駆動信号Ｓ２Ｙによって駆動することにより、ＤＣＤＣ変換回路５８Ｙから得られる直流出力ＤＣ１Ｙを逆流阻止用ダイオード５９Ｙを介して電源電池６０に供給する。
【００５８】
ここで、屋内においては照度が必要な場所でも１５００〔ルクス〕以上は必要ないとされているのに対して、屋外で発電用に使用している太陽電池は１〔ｃｍ２〕当り７〔ｍＷ〕の発電ができるものがあるから、７〔ｃｍ２〕程度の面積をもたせれば約５０〔ｍＷ〕の発電ができる。
【００５９】
このような条件で太陽電池７０の発電出力によって３０分間充電すれば、待受け時間で１４０分間（通話時間で約４０秒間）は使えることになる。
【００６０】
以上の構成によれば、電源電池６０に対して、発電手段１５及びＡＣアダプタ６５に加えて太陽電池７０の発電出力によって充電をすることができるので、発電手段１５に対する補助的充電手段として太陽電池７０の発電出力を用いることができることにより、さらに一段と電源電池６０の電源を喪失する可能性を低減した携帯電話機を得ることができる。
【００６１】
（３）第３の実施の形態
図１２は第３の実施の形態を示すもので、携帯電話機本体回路２２は、携帯電話機能処理回路８０と、受信検出回路８１と電源モード切換回路８２とを有し、全体として電源節約機能をもつものである。
【００６２】
携帯電話機能処理回路８０は、携帯電話機１の本来の機能として、受信通話機能や、表示機能や、データ処理機能などを実行するのに対して、受信検出回路８１は、アンテナ８１Ａから受信信号が得られなくなったとき、受信検出信号Ｓ１１をコントローラ８１Ｉに与えることによりモード切換信号Ｓ１２を得、このモード切換信号Ｓ１２を電源モード切換回路８２に与えることにより、電源回路２１から供給される電源出力ＤＣ２を携帯電話機能処理回路８０に供給させないような電源節約動作をする。
【００６３】
受信検出回路８１はアンテナ８１Ａの受信信号をスイッチ回路８１Ｂを介して高周波増幅回路８１Ｃに受け、その出力を混合回路８１Ｄにおいて局部発信回路８１Ｅの出力と混合して中間周波信号を得、これをバンドパスフィルタ８１Ｆを介して検波回路８１Ｇで検波する。
【００６４】
かくしてアンテナ８１Ａに受信信号が得られたとき、検波回路８１Ｇに論理「０」の検波出力が得られる（これに対してアンテナ８１Ａに受信信号が得られないとき論理「１」になる）ことにより、これが増幅回路８１Ｈを介して受信検出信号Ｓ１１としてコントローラ８１Ｉに与えられる。
【００６５】
コントローラ８１Ｉは受信検出信号Ｓ１１の論理レベルに応じたモード切換信号Ｓ１２を電源モード切換回路８２に与えるようになされ、これにより電源モード切換回路８２を受信検出信号Ｓ１１が論理「０」のとき電源回路２１から供給される電源出力ＤＣ２を携帯電話機能処理回路８０及び受信検出回路８１に供給する電源モード側に切換える。
【００６６】
このとき携帯電話機能処理回路８０は、スイッチ回路８１Ｂを介してアンテナ８１Ａから与えられる受信信号について、その本来の受信通話機能や、表示機能や、データ処理機能などの処理を行う動作状態になる。
【００６７】
これに対して、コントローラ８１Ｉは受信検出信号Ｓ１１が論理「１」レベルになると、この状態が所定の時間継続したとき、電源モード切換回路８２を電源節約モード側に切り換えることにより電源回路２１の電源出力ＤＣ２の携帯電話機能処理回路８０への供給をしゃ断して受信検出回路８１だけに供給し、その後受信検出信号Ｓ１１が論理「０」レベルになったとき電源節約モードから復帰する動作モードに切り換える。
【００６８】
かくしてこのとき携帯電話機能処理回路８０は電源が切られた状態になることにより、電源回路２１の電源出力ＤＣ２の消費電力を節約する状態になる。
【００６９】
図１２の構成によれば、アンテナ８１Ａに受信信号が与えられない状態になったとき、携帯電話機能処理回路８０への電源の供給を切るようなしたことにより、電源回路２１の電源出力ＤＣ２を格段的に節約できる。
【００７０】
因に、携帯電話機能処理回路８０は、受信待ち受け状態においては４〔ｍＷ〕程度の電力を消費するが、その電源を切って受信検出回路８１だけを動作させる状態にすれば、０．１〔ｍＷ〕程度の極く少ない消費電力を消費するような状態に電源を節約することができる。
【００７１】
（４）他の実施の形態
なお上述の実施の形態においては、ロータ２８の回転駆動用重り３５と回転軸２６との間に当該回転駆動用重り３５の重力と釣り合う弦巻ばねを設けるようにしたが、これに代え、ロータ２８と回転軸２６との間に弦巻ばね３６を設けるようにしても良い。
【００７２】
また上述の実施の形態においては、発電手段１５をテンキー１０と対向する位置に設けるようにしたが、発電手段１５の配設位置はこれに限らず本体部筐体２のいずれか、または場合によっては表示部筐体４側に設けるようにしても良く、要は携帯電話機筐体５のいずれかの位置に設ければ良い。
【００７３】
さらに、上述の実施の形態においては、本発明を携帯電話機に適用した場合について述べたが、適用対象はこれに限らず、携帯電話機、携帯ゲーム機を含む携帯電子機器に広く適用でき、このようにしても上述の場合と同様の効果を得ることができる。
【産業上の利用可能性】
【００７４】
本発明は携帯電話機に利用できる。
【図面の簡単な説明】
【００７５】
【図１】（Ａ）及び（Ｂ）は本発明の第１の実施の形態による携帯電話機を示す正面図及び側面図である。
【図２】図１の電気回路の構成を示す電気的系統図である。
【図３】（Ａ）及び（Ｂ）は圧電手段の詳細構成を示す縦断面図及び平面図である。
【図４】ロータを示す平面図である。
【図５】ステータを平面図である。
【図６】図５のステータについてVI−VI線上にとった縦断面図である。
【図７】（Ａ）及び（Ｂ）は発電動作の説明に供する信号波形図及び略線図である。
【図８】電源回路の詳細構成を示す電気的接続図である。
【図９】（Ａ）、（Ｂ）及び（Ｃ）は第２の実施の形態の携帯電話機を示す正面図、側面図及び背面図である。
【図１０】図９の電気回路の構成を示すブロック図である。
【図１１】図１０の電源回路の詳細構成を示す電気的接続図である。
【図１２】第３の実施の形態の携帯電話機本体回路を示すブロック図である。
【符号の説明】
【００７６】
１……携帯電話機、２……本体部筐体、３……ヒンジ部、４……表示部筐体、５……携帯電話機筐体、１０……テンキー、１１、１２……操作ボタン、１５……発電手段、２１……電源回路、２２……携帯電話機本体回路、２５……ステータ、２６……回転軸、２７……軸受、２８……ロータ、２９……巻線、３０、３１……シールド板、３２……固定金具、３５……回転駆動用錘、３６……弦巻ばね、４０……永久磁石円板、４１Ｎ、４１Ｓ……Ｎ・Ｓ磁極、４５……磁性円板、４６……磁極突起、４７……巻線、５０……整流回路、５１……発電出力受電用コンデンサ、５２……バッテリマネージャ回路、５３……発電入力用充電専用回路、５５、５５Ｘ、５５Ｙ……比較回路、５６、５６Ｘ、５６Ｙ……基準電圧源、５７、５７Ｘ、５７Ｙ……充電制御回路、５８、５８Ｘ、５８Ｙ……ＤＣＤＣ変換回路、５９、５９Ｘ、５９Ｙ……逆流阻止用ダイオード、６０……電源電池、６１……レギュレータ回路、６５……ＡＣアダプタ、６６……ＡＣアダプタ受電用コンデンサ、７０……太陽電池、７１……太陽電池受電用コンデンサ、７２……太陽電池入力用充電専用回路、８０……携帯電話機能処理回路、８１……受信検出回路、８２……電源モード切換回路。
【図１】
2007110783.tif 000005
【図２】
2007110783.tif 000006
【図３】
2007110783.tif 000007
【図４】
2007110783.tif 000008
【図５】
2007110783.tif 000009
【図６】
2007110783.tif 000010
【図７】
2007110783.tif 000011
【図８】
2007110783.tif 000012
【図９】
2007110783.tif 000013
【図１０】
2007110783.tif 000014
【図１１】
2007110783.tif 000015
【図１２】
2007110783.tif 000016